(57)【要約】【課題】広い範囲の薬剤効果を充分なものとすることができる薬剤の送風放散方法とする。【解決手段】効力目的範囲Ａの周囲に、送風式薬剤放散装置１の管体２を連続して配設し、この管体２の長手方向ほぼ全長から薬剤を含む空気を放出することで、前記効力目的範囲Ａの範囲から薬剤を含む空気を放散するようにして、効力目的範囲Ａが広くとも充分な薬剤効果が得られるようにした薬剤の送風放散方法とする。【選択図】図１
2007289114.tif 000002
【特許請求の範囲】
【請求項１】
薬剤効果を得るための効力目的範囲Ａの周囲に、送風式薬剤放散装置１における薬剤を含む空気を放出するための管体２を連続して配設し、
この管体２の長手方向ほぼ全長から薬剤を含む空気を放出することで、前記効力目的範囲Ａの周囲から薬剤を含む空気を放散することを特徴とする薬剤の送風放散方法。
【請求項２】
薬剤効果を得るための効力目的範囲Ａの対向した両側縁Ａ１，Ａ１の全長に沿って、送風式薬剤放散装置１における薬剤を含む空気を放出するための管体２をそれぞれ配設し、
この各管体２の長手方向ほぼ全長から薬剤を含む空気を放出することで、前記効力目的範囲Ａの対向した両側縁Ａ１，Ａ１の全長から薬剤を含む空気を放散することを特徴とする薬剤の送風放散方法。
【請求項３】
送風式の薬剤放散器３の本体４の放出口から放出された薬剤を含む空気を管体２に圧送し、
この管体２を効力目的範囲Ａの周囲に連続して、又は側縁Ａ１の全長に沿って配設し、その管体２の長手方向ほぼ全長から薬剤を含む空気を放出するようにした請求項１又は２記載の薬剤の送風放散方法。
【請求項４】
送風装置６で管体２に空気を圧送して長手方向ほぼ全長から吐出するようにし、その管体２の空気吐出部２ａに揮散性の薬剤を設けて薬剤を含む空気として放出するようにし、この管体２を効力目的範囲Ａの周囲に連続して、又は側縁Ａ１の全長に沿って配設した請求項１又は２記載の薬剤の送風放散方法。
【請求項５】
送風式の薬剤放散器３と、管体２を備え、
前記薬剤放散器３は、本体４内に送風機２１と揮散性の薬剤２２を設け、その送風機２１を駆動することで本体２０の吸込口２３から空気を吸い込み、その空気を薬剤を含む空気として放出口２４から放出するもので、
前記管体２は、本体２０の放出口２４に接続して薬剤を含む空気を長手方向ほぼ全長から放出するものとしたことを特徴とする送風式薬剤放散装置。
【請求項６】
送風装置６と、この送風装置６から送風された空気を、長手方向ほぼ全長から吐出する管体２と、
この管体２の空気吐出部２ａに設けられた揮散性の薬剤を備え、
前記管体２の長手方向ほぼ全長から薬剤を含む空気を放出するようにしたことを特徴とする送風式薬剤放散装置。
【発明の詳細な説明】
【技術分野】
【０００１】
本発明は、送風式薬剤放散装置を用いて揮散性の薬剤を放散する薬剤の送風放散方法及びその薬剤の送風放散方法に用いる送風式薬剤放散装置に関する。
【背景技術】
【０００２】
送風式薬剤放散装置としては、本体内に、揮散性の薬剤と送風機を設け、その送風機を駆動することで本体の吸込口から空気を吸い込み、その空気を薬剤と接触させることで薬剤を含む空気とし、その薬剤を含む空気を本体の放出口から大気に放出するようにすると共に、その本体を使用者の腰、手首に着用するために、本体にフック、着用バンドを取付けたものが、特許文献１，２に開示されている。
【０００３】
【特許文献１】特開２００１−１９７８５６号公報
【特許文献２】特開２００４−２４１６１号公報
【発明の開示】
【発明が解決しようとする課題】
【０００４】
前述した従来の送風により揮散性薬剤を大気に放出する送風式薬剤放散装置は、薬剤を含む空気を本体の放出口から大気に放出するものであるから、この送風式薬剤放散装置を用いた揮散性の薬剤の送風放散方法は、本体を中心とした周囲に揮散性の薬剤を放散するものである。
このために、薬剤効果が期待できるのは狭い範囲で、広い範囲で充分な薬剤効果を得るに到っていない。
【０００５】
前述の送風式薬剤放散装置は屋内外の開放的空間で対象物を害虫から防禦する目的で使用されることがある。
例えば、建物の窓や出入口から建物内へ害虫（例えば、蚊などの飛翔害虫）が侵入することを防禦すること、花壇やプランターなどの園芸植物を害虫（例えば、蟻などの匍匐害虫）から防禦すること、ペットなどの飼育小屋への害虫（例えば、蚊などの飛翔害虫）が侵入することを防禦すること、砂場や簡易水浴などの屋外遊技者（主として子供）を害虫（例えば、刺噛害虫）から防禦すること、園芸など屋外作業者を害虫（例えば吸血害虫）から防禦すること、自動販売機などの内部へ害虫が侵入しないように防禦すること、屋外テント内へ害虫が侵入しないように防禦すること、ゴミなどの収納容器、収集箱に集まる害虫、又はゴミを荒らすカラス、ネコなどを寄せ付けないようにすること、などの多くの目的で使用される。
【０００６】
前述した目的で使用される場合には、その効力目的範囲が広い。つまり、広い範囲の薬剤効果を充分なものとする必要がある。
しかし、前述した従来の送風式薬剤放散装置を用いた薬剤の送風放散方法では、その薬剤効果が充分に得られる範囲が狭いので、前述の目的で使用する場合には効力目的範囲が広いので、充分な薬剤効果が得られない。
【０００７】
また、前述した屋外の開放的空間は、太陽光に照射される、風雨に直面するなどの環境にあり、その空間（使用場所）に薬剤を直接用いた場合には、太陽光による薬剤の劣化、風による薬剤の飛散、雨による薬剤の損傷などの恐れがある。
また、屋外の開放的空間で使用する既存の害虫防除用装置は、薬剤が装置の表側にあるから、太陽光、風雨の影響を受ける。
【０００８】
本発明の目的は、広い範囲の薬剤効果を充分なものとすることができる薬剤の送風放散方法及び送風式薬剤放散装置を提供することである。
【課題を解決するための手段】
【０００９】
第１の発明は、薬剤効果を得るための効力目的範囲Ａの周囲に、送風式薬剤放散装置１における薬剤を含む空気を放出するための管体２を連続して配設し、
この管体２の長手方向ほぼ全長から薬剤を含む空気を放出することで、前記効力目的範囲Ａの周囲から薬剤を含む空気を放散することを特徴とする薬剤の送風放散方法である。
【００１０】
第２の発明は、薬剤効果を得るための効力目的範囲Ａの対向した両側縁Ａ１，Ａ１の全長に沿って、送風式薬剤放散装置１における薬剤を含む空気を放出するための管体２をそれぞれ配設し、
この各管体２の長手方向ほぼ全長から薬剤を含む空気を放出することで、前記効力目的範囲Ａの対向した両側縁Ａ１，Ａ１の全長から薬剤を含む空気を放散することを特徴とする薬剤の送風放散方法である。
【００１１】
第３の発明は、第１又は第２の発明において、送風式の薬剤放散器３の本体４の放出口から放出された薬剤を含む空気を管体２に圧送し、
この管体２を効力目的範囲Ａの周囲に連続して、又は側縁Ａ１の全長に沿って配設し、その管体２の長手方向ほぼ全長から薬剤を含む空気を放出するようにした薬剤の送風放散方法である。
【００１２】
第４の発明は、第１又は第２の発明において、送風装置６で管体２に空気を圧送して長手方向ほぼ全長から吐出するようにし、その管体２の空気吐出部２ａに揮散性の薬剤を設けて薬剤を含む空気として放出するようにし、この管体２を効力目的範囲Ａの周囲に連続して、又は側縁Ａ１の全長に沿って配設した薬剤の送風放散方法である。
【００１３】
第５の発明は、送風式の薬剤放散器３と、管体２を備え、
前記薬剤放散器３は、本体４内に送風機２１と揮散性の薬剤２２を設け、その送風機２１を駆動することで本体２０の吸込口２３から空気を吸い込み、その空気を薬剤を含む空気として放出口２４から放出するもので、
前記管体２は、本体２０の放出口２４に接続して薬剤を含む空気を長手方向ほぼ全長から放出するものとしたことを特徴とする送風式薬剤放散装置である。
【００１４】
第６の発明は、送風装置６と、この送風装置６から送風された空気を、長手方向ほぼ全長から吐出する管体２と、
この管体２の空気吐出部２ａに設けられた揮散性の薬剤を備え、
前記管体２の長手方向ほぼ全長から薬剤を含む空気を放出するようにしたことを特徴とする送風式薬剤放散装置である。
【発明の効果】
【００１５】
第１の発明によれば、効力目的範囲Ａの周囲から薬剤を含む空気が放散されるので、その効力目的範囲Ａの広さに関係なく充分な薬剤効果が得られる。したがって、広い範囲の薬剤効果を充分なものとすることができる。
【００１６】
第２の発明によれば、効力目的範囲Ａの対向した両側縁Ａ１，Ａ１から薬剤を含む空気を放散するので、その対向した両側縁Ａ１，Ａ１が長く、他の対向した両側縁Ａ２，Ａ２が短い長方形状の効力目的範囲Ａの場合に、広い範囲の薬剤効果を充分なものとすることができる。
【００１７】
第３の発明によれば、薬剤放散器３の本体４の放出口から薬剤を含む空気が放出され、その薬剤を含む空気が管体２の長手方向ほぼ全長から放出されるので、その放出される空気の薬剤濃度が、長手方向に亘って全て同一であるから、効力目的範囲Ａの周囲から放散される薬剤を含む空気の薬剤濃度が、その周囲に沿った各位置で均一である。
【００１８】
第４の発明によれば、管体２の各空気吐出部２ａに設ける薬剤の濃度、種類を変えることで、それぞれの空気吐出部２ａから放出される薬剤を含む空気の薬剤濃度、薬効をそれぞれ変えることが可能である。
【００１９】
第５の発明によれば、薬剤放散器３を効力目的範囲Ａの近くに設置し、管体２を、その効力目的範囲Ａの周囲に配設することで、前記効力目的範囲Ａの周囲から薬剤を含む空気を放散することができる。
【００２０】
第６の発明によれば、送風装置６から送風された空気を管体２の空気吐出部に設けた薬剤を通して吐出することで、薬剤を含む空気として放出するから、管体２内に薬剤が付着することがなく、薬剤を有効に放散することができる。
【発明を実施するための最良の形態】
【００２１】
図１、図２に示すように、薬剤を放散して薬剤効果を得るための効力目的範囲Ａ、例えば害虫から防禦する範囲の周囲に、送風式薬剤放散装置１における薬剤を含む空気を放出するための管体２を連続して配設し、この管体２の長手方向ほぼ全長から薬剤を含む空気を放出することで、前記効力目的範囲Ａの周囲から薬剤を含む空気を放散する。
このように、効力目的範囲Ａの周囲から薬剤を含む空気を放散することで、その効力目的範囲Ａのほぼ全域の薬剤効果を充分なものとすることができるから、広い範囲の薬剤効果を充分なものとすることができる。
【００２２】
前述の管体２は、その長手方向ほぼ全長から薬剤を含む空気を放出するものである。ここで、長手方向ほぼ全長から放出するとは、長手方向全長における長手方向に間隔を置いた複数の位置に孔を形成し、その孔からそれぞれ放出したり、長手方向全長に亘ってスリットを形成し、そのスリットから放出することである。
この管体２は可撓性を有することが好ましい。
【００２３】
前述の管体２から薬剤を含む空気を放出する方向は、その効力目的範囲Ａの種類や薬剤放散の目的などに応じて次のようにすれば良い。
第１の方向は、効力目的範囲Ａの全域に薬剤を含む空気が流れて効力目的範囲Ａの全域が薬剤効果を有する状態とする方向。例えば、効力目的範囲Ａに向けて薬剤を含む空気を放出する。
第２の方向は、図３（ａ）に示すように、効力目的範囲Ａの周囲に沿って薬剤を含む空気が、その効力目的範囲Ａと直角な方向に流れて効力目的範囲Ａの周囲部分に、その範囲と直交した帯状の薬剤効果領域Ｂを形成する状態とする方向。例えば、効力目的範囲Ａと直交する方向（上方、下方など）に薬剤を含む空気を放出する。
【００２４】
第３の方向は、図３（ｂ）に示すように効力目的範囲Ａの周囲に沿って薬剤を含む空気が、その効力目的範囲Ａと平行に、その効力目的範囲Ａと離れる方向に流れて、その効力目的範囲Ａの周囲部分に、その範囲と平行な帯状の薬剤効果領域Ｂを形成する状態とする方向。例えば、効力目的範囲Ａと平行で、効力目的範囲Ａと離れる方向に薬剤を含む空気を放出する。
【００２５】
なお、前述の第１・第２・第３の方向に放出することに限ることはなく、任意の方向に放出することができる。
また、第１・第２・第３の方向のいずれか１つの方向に限ることはなく、第１・第２・第３の方向にそれぞれ放出しても良いし、第１・第２・第３の方向のいずれか２つの方向の放出しても良い。
【００２６】
前述の第１の方向に薬剤を含む空気を放出することで、効力目的範囲Ａの全域が効力範囲となるので、窓や出入口からの害虫の侵入の防禦などに好ましい。
例えば、効力目的範囲Ａが窓の場合には図４（ａ），（ｂ）に示すように、窓１０の窓枠１１に沿って管体２を連続して環状に配設し、そのガラス障子１２を矢印方向に開放した際に、窓枠１１の開口部１１ａに向けて薬剤を含む空気ａを放出して開口部１１ａの全域を効力範囲とする。
このようにすれば、窓１０の開口部１１ａを蚊などの害虫が通過できなくなるので、建物内への侵入を防禦できる。
また、図示は省略するが、管体２を窓枠１１の両側方と上方の三方、又は左右（上下）の二方に配設しても良い。
【００２７】
前述の第２の方向に薬剤を含む空気を放出することで、効力目的範囲Ａの周囲部分に、その効力目的範囲Ａと直角で帯状の薬剤領域空間Ｂが形成されるので、効力目的範囲Ａ内に飛翔害虫が侵入することを防禦する場合に好ましい。
例えば、図５に示すように効力目的範囲Ａが花壇の場合には、草花１３を囲むように管体２を配設し、上方に向けて薬剤を含む空気を放出することで、草花１３の周囲に帯状の薬剤効果領域Ｂを上下方向に亘って形成するから、飛翔害虫が草花１３まで到達することを防禦できる。
また、図示を省略するが、効力目的範囲Ａが砂場や簡易プール等の屋外遊技場の場合には、その遊技場（砂場、簡易プール）の周囲に管体２を配設すれば良い。
【００２８】
前述の第３の方向に薬剤を含む空気を放出することで、効力目的範囲Ａの周囲に、その効力目的範囲Ａと水平に連続した薬剤効果領域Ｂを形成できるので、その効力目的範囲Ａに匍匐害虫が入り込むことを防禦する場合に好ましい。
例えは、前述の図５に示すように管体２を配設し、その花壇と連続した地面に沿って薬剤を含む空気を放出することで、その地面に薬剤効果領域Ｂを形成することで、匍匐害虫が地面をはって花壇に入り込むことを防止できる。
また、図示を省略するが、自動販売機の下に管体２を、その自動販売機の底面に沿ってリング状に配設すれば、自動販売機の底面部分に匍匐害虫が侵入し、自動販売機の内部に入り込むことを防禦できる。
【００２９】
図１に示す実施の形態では、送風式薬剤放散装置１は送風式の薬剤放散器３と前述の管体２を備えている。
この薬剤放散器３は、本体４内に送風機と薬剤を設け、その送風機を駆動することで本体４の吸込口から空気を吸い込み、その本体４の放出口から薬剤を含む空気を放出するものである。
前記管体２は長手方向全長に亘って間隔を置いて孔５が複数形成され、その管体２の長手方向一端部が前記本体４の放出口と連通し、長手方向他端部は閉塞されている。
これによって、薬剤放散器３の放出口から放出された薬剤を含む空気が管体２の各孔５から大気に放出される。
そして、この孔５の向きによって放出方向が決定される。
【００３０】
つまり、図１に示す実施の形態の薬剤の送風放散方法は、送風式の薬剤放散器３の本体４の放出口から放出された薬剤を含む空気を、管体２に圧送し、その管体２を効力目的範囲Ａの周囲に連続して配設することで、その管体２の長手方向ほぼ全長から放出する方法である。
【００３１】
このようにして薬剤を含む空気を放出することで、効力目的範囲Ａの周囲から薬剤を含む空気を放散する方法であれば、その管体２を流通する薬剤を含む空気の薬剤濃度が均一であり、管体２の長手方向ほぼ全長から放出される空気の薬剤濃度が均一であるから、効力目的範囲Ａの周囲から放散される薬剤を含む空気の薬剤濃度が、その周囲に沿った各位置で均一である。
したがって、効力目的範囲Ａの全域を同様な薬剤効果が得られる状態とすることができる。
【００３２】
また、前述の送風式薬剤放散装置１であれば、薬剤放散器３を効力目的範囲Ａの近くに設置し、管体２をその効力目的範囲Ａの周囲に配設すれば良いから、その作業が簡単でやり易い。
【００３３】
図２に示す実施の形態では、送風式薬剤放散装置１は送風装置６と、管体２と、薬剤を収容した薬剤容器７を備え、その送風装置６で管体２に空気を圧送し、その管体２の空気吐出部２ａに前記薬剤容器７を設け、管体２の空気吐出部２ａから薬剤容器７内の薬剤に空気を吹きつけることで、薬剤を含む空気として大気に放出するようにしてある。
【００３４】
つまり、図２に示す実施の形態の薬剤の送風放散方法は、送風装置６で管体２に空気を圧送して長手方向ほぼ全長から吐出するようにし、その空気吐出部２ａに薬剤を設けて薬剤を含む空気として放出するようにし、その管体２を効力目的範囲Ａの周囲に連続して配設したものである。
【００３５】
このようにして薬剤を含む空気を放散する方法であれば、管体２の各空気吐出部２ａに設ける薬剤の種類、濃度を変えることができるので、それぞれの空気吐出部２ａから放出される薬剤を含む空気の薬効、薬剤濃度をそれぞれ変えることが可能である。
【００３６】
また、前述の送風式薬剤放散装置１によれば、送風装置６から送風された空気を管体２内に流通し、その空気を空気吐出部２ａに設けた薬剤を経て吐出することで、薬剤を含む空気として放出するから、その管体２内に薬剤が付着することがなく、薬剤を有効に放散することができる。
【００３７】
図１、図２に示す実施の形態では、複数の送風式薬剤放散装置１を用いているが、これは効力目的範囲Ａの広さと薬剤放散器３の送風能力の関係からであって、効力目的範囲Ａが狭かったり、送風能力が大きければ送風式薬剤放散装置１は１つでも良い。
【００３８】
前述の実施の形態では、効力目的範囲Ａの周囲に連続して管体２を配設し、効力目的範囲Ａの周囲から薬剤を含む空気を放出するようにしたが、これに限ることはなく、効力目的範囲Ａの対向する両側縁に管体２をそれぞれ設け、その効力目的範囲Ａの対向する両側縁から薬剤を含む空気を放出し、残りの他の対向した両側縁からは放出しないようにしても良い。
【００３９】
例えば、図６と図７に示すように、効力目的範囲Ａが左右方向に長く、前後方向には短いほぼ長方形状の場合には、その前後方向の両側縁、つまり、左右方向に向かう長尺な両側縁Ａ１，Ａ１の全長に沿って管体２をそれぞれ設け、他の対向した両側縁Ａ２，Ａ２には管体２を配設しない。
そして、効力目的範囲Ａの対向する両側縁Ａ１，Ａ１から薬剤を含む空気を放出し、他の対向した両側縁Ａ２，Ａ２からは放出しない。
【００４０】
このような方法であれば、対向した両側縁Ａ１，Ａ１が長く、他の対向した両側縁Ａ２，Ａ２が短い長方形状の効力目的範囲Ａの場合に有効である。
【００４１】
前述の各実施の形態においては、管体２を平地などの平面に接するようにして配設した形態を示しているが、その管体２は平面から浮かしたり、地上などに配設しても良く、浮かしたり、地上などに配設すれば管体２が平面と離れるので、その管体２から下方に向けて薬剤を含む空気を放出することが可能である。
例えば、平面にブロックや支持材を効力目的範囲に沿って間隔を置いて設け、その各ブロックの上に管体２を載置して配設したり、その各支持材に管体２を支持して配設する。
【００４２】
また、管体２を配設するのは、前述のように平地や地上の平面状部分に限ることはなく、傾斜した斜面状部分に配設したり、平地と地上に亘ってジグザグ状に配設したり、いろいろな状態で配設することが可能である。
【００４３】
次に、図１に示す送風式薬剤放散装置１について詳細に説明する。
前述の送風式の薬剤放散器３は図８に示すように、本体４内に送風機２１と揮散性の薬剤２２を設け、その送風機２１を駆動することで本体４の吸込口２３から空気を吸い込み、その空気を薬剤２２に触れることで薬剤を含む空気とし、その空気を本体４の放出口２４から放出するものである。
前記本体４は、本体部２５とカバー２６を備え、そのカバー２６に吸込口２３が形成されている。
このカバー２６を外すことで本体部２５内に薬剤２２を挿入、取り出し自在で、薬剤２２を交換できるようにしてある。
前記送風機２１はモータ２１ａでファン２１ｂを回転するもので、このモータ２１ａの電源となる電池２７が電池収納室２０ａに設けてある。
前記薬剤２２は、通気部を有する容器２２ａ内に揮散性の薬剤２２ｂを収容したものである。
前記放出口２４に管体２が接続される。
この管体２を回転自在に放出口２４に接続すれば、その管体２を回転することで孔５の向きを任意に変更できるので、前述のように放出する方向を変更できる。
【００４４】
前述の送風式の薬剤放散器３は図９に示すものとしても良い。
つまり、カバー２６を下面として吸込口２３に下向きとすることで、下面から空気を吸い込むようにする。カバー２６には脚２６ａを設ける。
送風機２１のファン２１ｂをシロッコファンとして薬剤２２の上方に位置させることで、複数の放出口２４から空気を放出できるようにする。
このようにすれば、複数の管体２に薬剤を含む空気を圧送できる。
【００４５】
前述の各送風式の薬剤放散器３においては、管体２を本体４に着脱自在に連結することができる。例えば、管体２をゴムホースなどの可撓性を有するものとし、その長手方向端部に硬い接続用口金を設け、その接続用口金を放出口２４に嵌合して着脱自在に連結する。
【００４６】
また、管体２を本体４に回転自在に取付けることができる。例えば本体４の放出口２４に回転管継手の一端部を嵌合して取付け、この回転管継手の他端部に管体２を接続することで管体２を本体４に回転自在に取付ける。
【００４７】
また、管体２の孔５の向きを変更できるようにしても良い。
例えば、図１０、図１１に示すように、内側筒３０に外側筒３１を回転自在に嵌合して設けることで、その内側筒３０の外周面３０ａと外側筒３１の内周面３１ａとの間に環状空間３２を形成し、その環状空間３２に連通した放出用ノズル３３を外側筒３１に取付ける。
前記内側筒３０を管体２に嵌合し、管体２に形成した孔３４と内側筒３０の孔３５を連通して管体２内を連通する空気が環状空間３２に流入し、放出用ノズル３３から放出するようにして、その放出用ノズル３３を前述の孔５とする。
【００４８】
このようにすれば、外側筒３１を任意の角度に回転することで放出用ノズル３３が管体２に対して周方向に任意の角度だけ回転変位するので、前述のように孔５から放出する薬剤を含む空気の放出方向を第１・第２・第３の方向に変更できる。
また、放出用ノズル３３を外側筒３１の周方向に間隔を置いて２つ設ければ第１・第２・第３の方向のいずれか２つの方向に放出できるし、３つの放出用ノズル３３を設ければ第１・第２・第３の方向に放出することができる。
【００４９】
図１０においては、内側筒３０に対して外側筒３１が長手方向に移動しないように押さえリング３６が設けてある。
また、内側筒３０を筒体２に嵌合したが、これに限ることはない。例えば、筒体２を分離して一方の管体２の一端部を内側筒３０の一端部に嵌合すると共に、他方の管体２の他端部を内側筒３０の他端部に嵌合しても良い。
このようにすれば、筒体２に孔を形成せずに内側筒３０内に空気が流通するようにできる。
【００５０】
また、前記放出用ノズル３３は空気を漏斗状に拡散して放出する形状、空気を真っ直ぐに放出する形状など、任意のものが利用できる。
また、その放出用ノズル３３を空気の放出形状が異なるものを複数準備し、用途に応じて取り替えるようにしても良い。
【００５１】
前述の図２に示す送風式薬剤放散装置１について詳細に説明する。
前記送風装置６は、図１２に示すようにハウジング４０内に送風機４１を設け、ハウジング４０の吸込口４２から空気を吸い込んでハウジング４０の放出口４３から放出するものである。
そして、ハウジング４０の放出口４３に管体２が接続される。
この接続の仕方は前述の図１に示す送風式薬剤放散装置と同様である。
前記ハウジング４０には電池収納室４０ａと脚４０ｂが設けてある。
前記送風機４１はモータ４１ａでファン４１ｂを回転するものである。
【００５２】
前記薬剤容器７は図１３に示すように、管体２の空気吐出部２ａと連通する流入孔４４と流出孔４５を有し、内部に揮散性の薬剤４６が収容してある。
そして、管体２を流通する空気の一部が矢印で示すように流入孔４４から流入して薬剤４６に触れて流出孔４５から薬剤を含む空気として放出される。
【００５３】
前記薬剤容器７は管体２に着脱自在に取付け、薬剤効果がなくなった際に新しい薬剤容器７と交換できるようにしてある。
例えば、図１３に示すように薬剤容器７に、その流入孔４４と同心状の筒体４７を設け、この筒体４７を管体２の空気吐出部２ａに嵌合して取付ける。この場合には、管体２の空気吐出部２ａを形成した部分を他の部分よりも厚肉として筒体４７の嵌合代を長くすることが好ましい。
【００５４】
また、薬剤容器７をキャップを有するものとし、そのキャップを外すことで薬剤４６を交換できるようにすれば、その薬剤容器７を管体２に接着などで固着して取付けしても、薬剤４６を交換できる。
【００５５】
また、薬剤容器７を管体２に回転自在に取付けて薬剤を含む空気を放出する方向を、前述の第１の方向、第２の方向、第３の方向などに変更できるようにしても良い。
例えば、図１４と図１５に示すように前述した図１０、図１１に示す内側筒３０と外側筒３１との間に環状空間３２を形成した回転式タイプにおける環状空間３２に揮散性の薬剤４６を収容する。
【００５６】
このようにすれば、管体２を流通する空気は管体２の空気吐出部２ａ、孔３５から環状空間３２内に流入して薬剤４６と触れることで薬剤を含む空気となる。
この薬剤を含む空気は放出用ノズル３３から大気に放出される。
そして、外側筒３１を内側筒３０に対して回転することで放出用ノズル３３の向きを変え、薬剤を含む空気の放出方向を変更できる。
【００５７】
本発明において使用される薬剤としては、芳香剤、消臭剤、殺菌剤、殺ダニ剤、害虫あるいは害獣忌避剤、殺虫剤または害虫の成長制御剤、吸血行動阻止剤などで、揮散性のものが用いられる。
そして上記の薬剤で、殺虫を目的として使用する場合、従来より用いられている各種揮散性殺虫剤を用いることができ、ピレスロイド系殺虫剤、カーバメート系殺虫剤、有機リン系殺虫剤等が挙げることができる。一般に安全性が高いことからピレスロイド系殺虫剤が好適に用いられる。
さらに、微量で効力を発揮する高活性のメトフルトリン、トランスフルトリン、エムペントリン、テラレスリンが薬剤含浸体を薄く、また小さくできることからより好ましい。
なお、前述のピレスロイド系殺虫剤は、低濃度では忌避や吸血阻害の効能を発現するので安全面で好適に使用することができる。また、、安全面の高い植物精油（ペニーロイヤル油、レモングラス油、ヒバ油、ペパーミント油など）やその有効成分（プレゴン、シトラール、シトロネラール、ヒノキチオール、シネオールなど）も忌避や吸血阻害の効能を発現するので好適に使用することができる。
【図面の簡単な説明】
【００５８】
【図１】本発明の薬剤の送風放散方法の第１の実施の形態を示す平面説明図である。
【図２】本発明の薬剤の送風放散方法の第２の実施の形態を示す平面説明図である。
【図３】効力目的範囲の周囲に形成された薬剤効果領域の説明用斜視図である。
【図４】窓に用いた場合の説明図である。
【図５】花壇に用いた場合の斜視図である。
【図６】本発明の薬剤の送風放散方法の第３の実施の形態を示す平面説明図である。
【図７】本発明の薬剤の送風放散方法の第４の実施の形態を示す平面説明図である。
【図８】送風式の薬剤放散器の第１の実施の形態を示す断面図である。
【図９】送風式の薬剤放散器の第２の実施の形態を示す断面図である。
【図１０】管体の孔部分の一部破断正面図である。
【図１１】図１０のＡ−Ａ断面図である。
【図１２】送風装置の断面図である。
【図１３】薬剤容器取付部の断面図である。
【図１４】薬剤容器取付部の第２の実施の形態を示す一部破断正面図である。
【図１５】図１４のＢ−Ｂ断面図である。
【符号の説明】
【００５９】
１…送風式薬剤放散装置、２…管体、２ａ…空気吐出部、３…送風式の薬剤放散器、４…本体、５…孔、６…送風装置、７…薬剤容器、２１…送風機、２２…薬剤、２３…吸込口、２４…放出口。
【図１】
2007289114.tif 000003
【図２】
2007289114.tif 000004
【図３】
2007289114.tif 000005
【図４】
2007289114.tif 000006
【図５】
2007289114.tif 000007
【図６】
2007289114.tif 000008
【図７】
2007289114.tif 000009
【図８】
2007289114.tif 000010
【図９】
2007289114.tif 000011
【図１０】
2007289114.tif 000012
【図１１】
2007289114.tif 000013
【図１２】
2007289114.tif 000014
【図１３】
2007289114.tif 000015
【図１４】
2007289114.tif 000016
【図１５】
2007289114.tif 000017